(57)【要約】【課題】端末状態の切り替え方法及び装置を開示する【解決手段】基地局は、端末のために設定ポリシーを設定して送信する。前記設定ポリシーは、前記端末が非アクティブ状態に入ったかを判断するルールであり、接続状態にある端末は、基地局により送信された設定ポリシーを受信し、前記設定ポリシーに基づき、前記接続状態から非アクティブ状態に入る。本発明によれば、端末が接続状態から非アクティブ状態に入るようになり、端末の電力を節約しながらデータを迅速に送信することもできるようになる。【選択図】図３
2020115694.tif 000002
【特許請求の範囲】
【請求項１】
接続状態にある端末は、基地局により送信された設定ポリシーを受信するステップと、
前記端末は、前記設定ポリシーに基づき、接続状態から非アクティブ状態に入るステップと、
を備え、
前記非アクティブ状態は、端末はコアネットワークに接続されたままであるが従来の動作を実行しなく、無線インターフェース送信に直接使用される端末識別子が割り当てられない状態であり、前記端末識別子はＣ−ＲＮＴＩであることを特徴とする端末状態の切り替え方法。
【請求項２】
前記設定ポリシーには前記端末が非アクティブ状態に入ることを許可することを示す指示情報が含まれ、または、
前記設定ポリシーには前記端末の非アクティブ状態で用いられるエリア内の唯一の識別子が含まれ、または、
前記設定ポリシーには前記端末が非アクティブ状態に入るのに用いられる第１タイマーが含まれることを特徴とする請求項１に記載の端末状態の切り替え方法。
【請求項３】
前記設定ポリシーに前記端末が非アクティブ状態に入るのに用いられる第１タイマーが含まれれば、前記端末は、前記設定ポリシーに基づき、接続状態から非アクティブ状態に入る場合、
前記端末は、後続のアップリンクデータ伝送及びダウンリンクデータ伝送の有無を判断し、後続のアップリンクデータ伝送及びダウンリンクデータ伝送がなければ、前記端末は、前記第１タイマーを開始し、
前記端末は、後続の各タイミング単位において、後続のＵＬ/ＤＬデータ伝送の有無を判断し、
後続のＵＬ/ＤＬデータ伝送がなければ、各タイミング単位において、前記第１タイマーが期限切れになるまでに、前記第１タイマーに１を加え、前記タイミング単位は、伝送時間間隔（ＴＴＩ）、サブフレームまたは所定の絶対時間であり、
前記端末は、後続のタイミング単位でアップリンクデータ伝送及びまたはダウンリンクデータ伝送があると判断すると、前記第１タイマーを停止し、
前記端末は、前記第１タイマーが期限切れになったと確定すると、接続状態から非アクティブ状態に入る
ことを特徴とする請求項２に記載の端末状態の切り替え方法。
【請求項４】
前記端末が、後続のアップリンクデータ伝送がないと確定する場合、
前記端末は、アップリンクデータバッファが空であると確定した場合、後続のアップリンクデータ伝送がないと確定し、または、
前記端末は、アップリンクトラフィック完成またはアップリンクトラフィック終了を指示するためのトリガー指令を受信した場合、後続のアップリンクデータ伝送がないと確定し、
前記端末は、後続のダウンリンクデータ伝送がないと確定する場合、
前記端末は、基地局から送信された、最後１つのダウンリンクデータパケットであることを示す指示を受信した場合、後続のダウンリンクデータ伝送がないと確定し、または、
前記端末は、第２タイマーが期限切れになった後、ダウンリンクデータ伝送を受信できていない場合、後続のダウンリンクデータ伝送がないと確定し、前記第２タイマーは、前記端末が基地局ダウンリンクデータ伝送を受信した後に、開始されたものであることを特徴とする請求項３に記載の端末状態の切り替え方法。
【請求項５】
接続状態にある端末が基地局から送信された設定ポリシーを受信する前、
前記端末は、基地局に、非アクティブ状態に入ることを許可することを要求する要求メッセージを送信することを特徴とする請求項１に記載の端末状態の切り替え方法。
【請求項６】
前記端末が、前記設定ポリシーに基づき、接続状態から非アクティブ状態に入った後、
前記端末は、基地局に接続再開要求を送信し、前記接続再開要求に前記端末の非アクティブ状態で用いられるエリア内の唯一の識別子が含まれ、
前記端末は、前記基地局との間に接続を確立し、非アクティブ状態から接続状態に入り、
または、
前記端末が、前記設定ポリシーに基づき、接続状態から非アクティブ状態に入った後、前記端末は、基地局にデータ伝送要求を送信し、前記データ伝送要求に前記端末の非アクティブ状態で用いられるエリア内の唯一の識別子が含まれ、
前記端末と基地局は、端末の非アクティブ状態で格納された端末コンテキストに基づき、非アクティブ状態でのデータ伝送を行うことを特徴とする請求項１に記載の端末状態の切り替え方法。
【請求項７】
前記接続状態にある端末は、基地局により送信された設定ポリシーを受信する場合、
前記端末は、基地局への接続確立プロセスでの接続確立命令により、前記設定ポリシーを受信し、または
前記端末接続再設定命令により、前記設定ポリシーを受信し、または
前記端末は、ハンドオーバプロセスでのハンドオーバシグナリングにより、前記設定ポリシーを受信することを特徴とする請求項１に記載の端末状態の切り替え方法。
【請求項８】
基地局は、端末を非アクティブ状態に入るための設定ポリシーを、設定するステップと、
前記基地局は、前記端末に、前記設定ポリシーに基づき、接続状態から非アクティブ状態に入らせるよう、前記端末に前記設定ポリシーを送信するステップと
を備え、
前記非アクティブ状態は、端末はコアネットワークに接続されたままであるが従来の動作を実行しなく、無線インターフェース送信に直接使用される端末識別子が割り当てられない状態であり、前記端末識別子はＣ−ＲＮＴＩであることを特徴とする端末状態の切り替え方法。
【請求項９】
前記設定ポリシーには前記端末が非アクティブ状態に入ることを許可することを示す指示情報が含まれ、または、
前記設定ポリシーには前記端末の非アクティブ状態で用いられるエリア内の唯一の識別子が含まれ、または、
前記設定ポリシーには前記端末が非アクティブ状態に入るのに用いられる第１タイマーが含まれる
ことを特徴とする請求項８に記載の端末状態の切り替え方法。
【請求項１０】
前記基地局は、前記端末に前記設定ポリシーを送信する場合、
前記基地局は、接続確立プロセスでの接続確立命令により、前記設定ポリシーを送信し、または
前記基地局接続再設定命令により、前記設定ポリシーを送信し、または
前記基地局は、端末ハンドオーバプロセスでのハンドオーバシグナリングにより、前記設定ポリシーを送信する
ことを特徴とする請求項８または請求項９のいずれか1項に記載の端末状態の切り替え方法。
【請求項１１】
前記基地局が、前記端末に前記設定ポリシーを送信した後、
前記基地局は、設定ポリシーに基づいて前記端末が接続状態から非アクティブ状態に入ったと確定し、
前記基地局は、前記端末が非アクティブ状態に入る前の端末コンテキストを格納し、前記端末が接続状態でデータを伝送するのに用いられる無線インターフェースの唯一の識別子を解放することを特徴とする請求項８に記載の端末状態の切り替え方法。
【請求項１２】
前記基地局が、前記端末が接続状態から非アクティブ状態に入ったと確定する場合、
前記基地局は、前記端末が後続のアップリンクデータ送信及びダウンリンクデータ伝送がないことを確定した場合、前記端末が非アクティブ状態に入るのに用いられる第１タイマーを開始し、
前記基地局は、後続の各タイミング単位において、後続のＵＬ/ＤＬデータ伝送の有無を判断し、
後続のＵＬ/ＤＬデータ伝送がなければ、各タイミング単位において、前記第１タイマーが期限切れになるまでに、前記第１タイマーに１を加え、前記タイミング単位は、伝送時間間隔（ＴＴＩ）、サブフレームまたは所定の絶対時間であり、
前記基地局は、後続のタイミング単位でアップリンクデータ伝送及びまたはダウンリンクデータ伝送があると確定すると、前記第１タイマーを停止し、
前記基地局は、前記第１タイマーが期限切れになったと確定すると、前記端末が前記接続状態から非アクティブ状態に入ると確定する
ことを特徴とする請求項１１に記載の端末状態の切り替え方法。
【請求項１３】
前記基地局は、前記端末が後続のアップリンクデータ送信をしないことを確定する場合、
前記基地局は、前記端末により報告された前記端末のアップリンクバッファが空であることを示す指示情報を受信すると、前記端末が後続のアップリンクデータ送信をしないことを確定し、または、
前記基地局は、端末により報告されたバッファに基づき、最後１つのアップリンクデータパケットを受信したと確定した後、第２タイマーを開始させ、前記第２タイマーが期限切れになった後にアップリンク伝送のデータを受信できていないと、前記端末が後続のアップリンクデータ送信をしないことを確定し、または、
前記基地局は、前記端末により報告されたアップリンクトラフィック完成またはアップリンクトラフィック終了を指示するためのトリガー指令を受信すると、前記端末が後続のアップリンクデータ送信をしないことを確定し、
前記基地局は、前記端末にその後のダウンリンクデータの伝送がないと確定する場合、
前記基地局は、前記端末に対するダウンリンクデータバッファが空であると確定すると、前記端末にその後のダウンリンクデータの伝送がないと確定し、または、
前記基地局は、前記端末は、ダウンリンクトラフィック完成またはダウンリンクトラフィック終了を指示するトリガー指令を受信した場合、前記端末にその後のダウンリンクデータの伝送がないと確定することを特徴とする請求項１２に記載の端末状態の切り替え方法。
【請求項１４】
前記基地局が、前記端末が接続状態から非アクティブ状態に入ったと確定する場合、
前記基地局は、ターゲット基地局から前記端末コンテキスト取得要求を受信した場合、前記端末が接続状態から非アクティブ状態に入ったと確定し、
前記ターゲット基地局は、前記端末から、前記端末の非アクティブ状態で用いられるエリア内の唯一の識別子が含まれる接続再開要求またはデータ伝送要求を受信した基地局であり、
または、
前記基地局が、前記端末が接続状態から非アクティブ状態に入ったと確定する場合、
前記基地局は、前記端末から、前記端末の非アクティブ状態で用いられるエリア内の唯一の識別子が含まれる接続再開要求またはデータ伝送要求を受信した場合、前記端末が接続状態から非アクティブ状態に入ったと確定することを特徴とする請求項１１に記載の端末状態の切り替え方法。
【請求項１５】
接続状態にある端末において、基地局から送信された設定ポリシーを受信する受信ユニットと、
前記設定ポリシーに基づき、前記端末が接続状態から非アクティブ状態に入ることを制御する処理ユニットと
を備え、
前記非アクティブ状態は、端末はコアネットワークに接続されたままであるが従来の動作を実行しなく、無線インターフェース送信に直接使用される端末識別子が割り当てられない状態であり、前記端末識別子はＣ−ＲＮＴＩであることを特徴とする端末状態の切り替え装置。
【請求項１６】
基地局において、端末を非アクティブ状態に入るための設定ポリシーを、設定する処理ユニットと、
前記端末に、前記設定ポリシーに基づき、接続状態から非アクティブ状態に入らせるよう、前記端末に前記設定ポリシーを送信する送信ユニットと
を備え、
前記非アクティブ状態は、端末はコアネットワークに接続されたままであるが従来の動作を実行しなく、無線インターフェース送信に直接使用される端末識別子が割り当てられない状態であり、前記端末識別子はＣ−ＲＮＴＩであることを特徴とする端末状態の切り替え装置。
【発明の詳細な説明】
【技術分野】
【０００１】
本発明は通信技術分野に関連し、特に、端末状態の切り替え方法及び装置に関する。
【背景技術】
【０００２】
無線通信システムの発展にともない、端末の種類、およびトラフィックの種類が多様化し、したがって、ＵＥ装置の電力節約の要求、ネットワークリソース節約の要求、また様々な種類のトラフィックにおける要求を満足しなければならない。
【０００３】
現在、端末は一般に接続状態（ＣＯＮＮＥＣＴＥＤ）とアイドル状態（ＩＤＬＥ）で通信しており、例えば、ロングタームエボリューション（Ｌｏｎｇ Ｔｅｒｍ Ｅｖｏｌｕｔｉｏｎ，ＬＴＥ）システムにおける端末の通信状態は、無線リソース制御（Ｒａｄｉｏ Ｒｅｓｏｕｒｃｅ Ｃｏｎｔｒｏｌ，ＲＲＣ）_アイドル（ＩＤＬＥ）状態及びＲＲＣ_接続（ＣＯＮＮＥＣＴＥＤ）状態を含む。
【０００４】
ここで、ＲＲＣ_ＩＤＬＥ状態で実行され得るオペレーションは、公衆陸上移動通信ネットワーク（Ｐｕｂｌｉｃ Ｌａｎｄ Ｍｏｂｉｌｅ Ｎｅｔｗｏｒｋ，ＰＬＭＮ）を選択すること、非アクセス層（Ｎｏｎ Ａｃｃｅｓｓ Ｓｔｒａｔｕｍ，ＮＡＳ）で不連続受信（Ｄｉｓｃｏｎｔｉｎｕｏｕｓ Ｒｅｃｅｐｔｉｏｎ，ＤＲＸ）を構成すること、システム情報ブロードキャスト、ページング、セル再選択方式の移動性を含む。端末にトラッキングエリア内の唯一の識別子が割り当てられ、基地局は、端末コンテキスト情報のいかなるコンテキスト情報も格納せず、サイドリンク通信（ｓｉｄｅｌｉｎｋ）通信の送受信（例えば、（Ｄｅｖｉｃｅ−ｔｏ−Ｄｅｖｉｃｅ，Ｄ２Ｄ）通信プロセス）及びＳｉｄｅｌｉｎｋ発見の通知及びリスニング（Ｄ２Ｄ発見プロセス）を行うことができる。
【０００５】
ここで、ＲＲＣ_ＣＯＮＮＥＣＴＥＤ状態で実行することができる動作は、端末にＥ−ＵＴＲＡＮ−ＲＲＣ進化型ユニバーサル地上無線アクセスネットワーク（Ｅｖｏｌｕｔｉｏｎ−Ｕｎｉｖｅｒｓａｌ Ｔｅｒｒｅｓｔｒｉａｌ Ｒａｄｉｏ Ａｃｃｅｓｓ Ｎｅｔｗｏｒｋ，Ｅ−ＵＴＲＡＮ）接続を提供すること、Ｅ−ＵＴＲＡＮ側に端末のコンテキスト情報を格納することなどを含む。Ｅ−ＵＴＲＡＮは、端末にサービス提供するセルを取得し、セル内の端末にセル無線ネットワーク一時識別子（Ｃｅｌｌ−Ｒａｄｉｏ Ｎｅｔｗｏｒｋ Ｔｅｍｐｏｒａｒｙ Ｉｄｅｎｔｉｆｉｅｒ，Ｃ−ＲＮＴＩ）を割り当てる。Ｃ−ＲＮＴＩを使用してネットワーク（Ｎｅｔｗｏｒｋ）と端末との間でデータを送受信することができる。Ｎｅｔｗｏｒｋ制御の移動性隣接セルの測定、ｓｉｄｅｌｉｎｋ通信の実行、およびＳｉｄｅｌｉｎｋ発見の通知及びリスニング（Ｄ２Ｄ発見）、端末とネットワークとの間のデータの送受信は、パケットデータコンバージェンスプロトコル（Ｐａｃｋｅｔ Ｄａｔａ Ｃｏｎｖｅｒｇｅｎｃｅ Ｐｒｏｔｏｃｏｌ，ＰＤＣＰ）、無線リンク制御（Ｒａｄｉｏ Ｌｉｎｋ Ｃｏｎｔｒｏｌ，ＲＬＣ）または、メディアアクセス制御（Ｍｅｄｉａ Ａｃｃｅｓｓ Ｃｏｎｔｒｏｌ，ＭＡＣ）層でサポートされる。端末は、共有データチャネルを介して端末に割り当てられた送信があるかどうかをチェックするために共有データチャネルの制御シグナリングチャネルをリッスンする。端末は、チャネル品質情報及びフィードバック情報を基地局に報告する。また、基地局は、ＤＲＸ周期性を制御し、端末の省電力条件およびリソース利用率に従ってＤＲＸ周期性を設定する。
【０００６】
現在、端末の電力およびネットワークリソースを節約するために、端末は接続状態からアイドル状態に切り替えることができ、端末はアイドル状態でデータを送信することはできないが、数多くのトラフィック（例えば、バーストスモールデータパケットトラフィック、キープアライブスモールデータパケットトラフィック、および他のタイプの短いバーストトラフィック）に端末の省電力とともにデータ快速伝送が要求される。
【０００７】
よって、現在、上記２つの状態での端末の電力を節約しながらデータを迅速に送信することができない。
【発明の概要】
【発明が解決しようとする課題】
【０００８】
本発明の目的は、端末状態の切り替え方法及び装置を提供し、端末が接続状態と非アクティブ状態との間で切り替わるようにＵＥの状態を切り替えることにより、端末の電力を節約しながらデータを迅速に送信することができる。
【課題を解決するための手段】
【０００９】
本発明の目的は以下の技術案により達成できる。
【００１０】
第１態様によれば、端末状態の切り替え方法は、
接続状態にある端末は、基地局により送信された設定ポリシーを受信するステップと、前記端末は、前記設定ポリシーに基づき、接続状態から非アクティブ状態に自主的に入るステップとを備え前記設定ポリシーは、前記端末が非アクティブ状態に入ったかを判断するルールである。
【００１１】
可能の実施形態では、前記設定ポリシーには前記端末が非アクティブ状態に入ることを許可することを示す指示情報が含まれる。
【００１２】
可能の実施形態では、前記設定ポリシーには前記端末の非アクティブ状態で用いられるエリア内の唯一の識別子が含まれる。
【００１３】
可能の実施形態では、前記設定ポリシーは、前記端末が非アクティブ状態に入るのに用いられる第１タイマーを含む。
【００１４】
可能の実施形態では、前記端末は、前記設定ポリシーに基づき、接続状態から非アクティブ状態に入る場合、
前記端末は、その後にアップリンクデータ伝送及びダウンリンクデータ伝送の有無を判断し、その後にアップリンクデータ伝送またはダウンリンクデータ伝送がなければ、前記端末は、前記第１タイマーを開始し、
前記端末は、後続の各タイミング単位において、後続のＵＬ/ＤＬデータ伝送の有無を判断し、
後続のＵＬ/ＤＬデータ伝送がなければ、各タイミング単位において、前記第１タイマーが期限切れになるまでに、前記第１タイマーに１を加え、前記タイミング単位は、伝送時間間隔（ＴＴＩ）、サブフレームまたは所定の絶対時間であり、
前記端末は、後続のタイミング単位でアップリンクデータ伝送及びまたはダウンリンクデータ伝送があると判断すると、前記第１タイマーを停止し、
前記端末は、前記第１タイマーが期限切れになったと確定すると、接続状態から非アクティブ状態に入る。
【００１５】
可能の実施形態では、前記端末は、その後にアップリンクデータ伝送がないと確定する場合、
前記端末は、アップリンクデータバッファが空であると確定した場合、その後にアップリンクデータ伝送がないと確定し、または、
前記端末は、アップリンクトラフィック完成またはアップリンクトラフィック終了を指示するためのトリガー指令を受信した場合、その後にアップリンクデータ伝送がないと確定し、
前記端末は、その後にダウンリンクデータ伝送がないと確定する場合、
前記端末は、基地局から送信された、最後１つのダウンリンクデータパケットであることを示す指示を受信した場合、その後にダウンリンクデータ伝送がないと確定し、または
前記端末は、第２タイマーが期限切れになった後、ダウンリンクデータ伝送を受信できていない場合、その後にダウンリンクデータ伝送がないと確定し、前記第２タイマーは、前記端末が基地局ダウンリンクデータ伝送を受信した後に、開始されたものである。
【００１６】
可能の実施形態では、接続状態にある端末が基地局から送信された設定ポリシーを受信する前、前記端末は、基地局に、非アクティブ状態に入ることを許可することを要求する要求メッセージを送信する。
【００１７】
可能の実施形態では、前記端末が、前記設定ポリシーに基づき、接続状態から非アクティブ状態に入った後、前記端末は、基地局に接続再開要求を送信し、前記接続再開要求に前記端末の非アクティブ状態で用いられるエリア内の唯一の識別子が含まれ、
前記端末は、前記基地局との間に接続を確立し、非アクティブ状態から接続状態に入る。
【００１８】
可能の実施形態では、前記端末が、前記設定ポリシーに基づき、接続状態から非アクティブ状態に入った後、前記端末は、基地局にデータ伝送要求を送信し、前記データ伝送要求に前記端末の非アクティブ状態で用いられるエリア内の唯一の識別子が含まれ、
前記端末と基地局は、端末の非アクティブ状態で格納された端末コンテキストに基づき、非アクティブ状態でのデータ伝送を行う。
【００１９】
可能の実施形態では、前記接続状態にある端末が、基地局により送信された設定ポリシーを受信する場合、
前記端末は、基地局への接続確立プロセスでの接続確立命令により、前記設定ポリシーを受信し、または
前記端末接続再設定命令により、前記設定ポリシーを受信し、または
前記端末在切り替えプロセスでの切り替えシグナリングにより、前記設定ポリシーを受信する。
【００２０】
第２態様によれば、端末状態の切り替え方法は、
基地局は、端末が自主的に非アクティブ状態に入るための設定ポリシーを設定し、
前記基地局は、前記端末に前記設定ポリシーを送信する。
【００２１】
可能の実施形態では、前記設定ポリシーに、前記端末が非アクティブ状態に入ることを許可することを示す指示情報が含まれる。
【００２２】
可能の実施形態では、前記設定ポリシーには前記端末の非アクティブ状態で用いられるエリア内の唯一の識別子が含まれる。
【００２３】
可能の実施形態では、前記設定ポリシーに前記端末が自主的に非アクティブ状態に入ることを示す第１タイマーが含まれる。
【００２４】
可能の実施形態では、前記基地局は、前記端末に前記設定ポリシーを送信する場合、
前記基地局は、接続確立プロセスでの接続確立命令により、前記設定ポリシーを送信し、または
前記基地局接続再設定命令により、前記設定ポリシーを送信し、または
前記基地局は、端末切り替えプロセスでの切り替えシグナリングにより、前記設定ポリシーを送信する。
【００２５】
可能の実施形態では、前記基地局が、前記端末に前記設定ポリシーを送信した後、前記方法では、
前記基地局は、設定ポリシーに基づいて前記端末が接続状態から非アクティブ状態に入ったと確定し、
前記基地局は、前記端末が非アクティブ状態に入る前の端末コンテキストを格納し、前記端末が接続状態でデータを伝送するのに用いられる無線インターフェースの唯一の識別子を解放する。
【００２６】
可能の実施形態では、前記基地局が、前記端末が接続状態から非アクティブ状態に入ったと確定する場合、
前記基地局は、前記端末がその後にアップリンクデータ送信及びダウンリンクデータ伝送がないことを確定した場合、前記端末が非アクティブ状態に入るのに用いられる第１タイマーを開始し、
前記基地局は、後続の各タイミング単位において、後続のＵＬ/ＤＬデータ伝送の有無を判断し、
後続のＵＬ/ＤＬデータ伝送がなければ、各タイミング単位において、前記第１タイマーが期限切れになるまでに、前記第１タイマーに１を加え、前記タイミング単位は、伝送時間間隔（ＴＴＩ）、サブフレームまたは所定の絶対時間であり、
前記基地局は、後続のタイミング単位でアップリンクデータ伝送及びまたはダウンリンクデータ伝送があると確定すると、前記第１タイマーを停止し、
前記基地局は、前記第１タイマーが期限切れになったと確定すると、前記端末が接続状態から非アクティブ状態に入ったと確定する。
【００２７】
可能の実施形態では、前記基地局は、前記端末がその後にアップリンクデータ送信をしないことを確定する場合、
前記基地局は、前記端末により報告された前記端末のアップリンクバッファが空であることを示す指示情報を受信すると、前記端末がその後にアップリンクデータ送信をしないことを確定し、または、
前記基地局は、端末により報告されたバッファに基づき、最後１つのアップリンクデータパケットを受信したと確定した後、第２タイマーを開始させ、前記第２タイマーが期限切れになった後にアップリンク伝送のデータを受信できていないと、前記端末がその後にアップリンクデータ送信をしないことを確定し、または、
前記基地局は、前記端末により報告されたアップリンクトラフィック完成またはアップリンクトラフィック終了を指示するためのトリガー指令を受信すると、前記端末がその後にアップリンクデータ送信をしないことを確定し、
前記基地局は、前記端末にその後のダウンリンクデータの伝送がないと確定する場合、
前記基地局は、前記端末に対するダウンリンクデータバッファが空であると確定すると、前記端末にその後のダウンリンクデータの伝送がないと確定し、または、
前記基地局は、前記端末は、ダウンリンクトラフィック完成またはダウンリンクトラフィック終了を指示するトリガー指令を受信した場合、前記端末にその後のダウンリンクデータの伝送がないと確定する。
【００２８】
可能の実施形態では、前記基地局が、前記端末が接続状態から非アクティブ状態に入ったと確定する場合、
前記基地局は、ターゲット基地局から前記端末コンテキスト取得要求を受信した場合、前記端末が接続状態から非アクティブ状態に入ったと確定し、
前記ターゲット基地局は、前記端末から、前記端末の非アクティブ状態で用いられるエリア内の唯一の識別子が含まれる接続再開要求またはデータ伝送要求を受信した基地局である。
【００２９】
可能の実施形態では、前記基地局が、ターゲット基地局から前記端末コンテキスト取得要求を受信した後、前記方法では、前記基地局は、前記ターゲット基地局に前記端末コンテキストを転送する。
【００３０】
可能の実施形態では、前記基地局が、前記端末が接続状態から非アクティブ状態に入ったと確定する場合、
前記基地局は、前記端末から、前記端末の非アクティブ状態で用いられるエリア内の唯一の識別子が含まれる接続再開要求またはデータ伝送要求を受信した場合、前記端末が接続状態から非アクティブ状態に入ったと確定する。
【００３１】
可能の実施形態では、基地局は、端末が非アクティブ状態入るのに用いる設定ポリシーを設定する前、前記方法では、
前記基地局は、前記端末から、非アクティブ状態に入ることを許可することを要求する要求メッセージを受信する。
【００３２】
第３態様によれば、端末状態の切り替え装置は、
接続状態にある端末において、基地局から送信された設定ポリシーを受信する受信ユニットと、
前記設定ポリシーに基づき、前記端末が接続状態から非アクティブ状態に入ることを制御する処理ユニットとを備え、
前記設定ポリシーは、前記端末が非アクティブ状態に入ったかを判断するルールである。
【００３３】
可能の実施形態では、前記設定ポリシーには前記端末が非アクティブ状態に入ることを許可することを示す指示情報が含まれる。
【００３４】
可能の実施形態では、前記設定ポリシーには前記端末の非アクティブ状態で用いられるエリア内の唯一の識別子が含まれる。
【００３５】
可能の実施形態では、前記設定ポリシーは、前記端末が非アクティブ状態に入るのに用いられる第１タイマーを含む。
【００３６】
可能の実施形態では、前記処理ユニットは、以下の方式で、前記設定ポリシーに基づき、前記端末が接続状態から非アクティブ状態に入ることを制御し、
前記端末は、その後にアップリンクデータ伝送及びダウンリンクデータ伝送の有無を判断し、その後にアップリンクデータ伝送またはダウンリンクデータ伝送がなければ、前記端末は、前記第１タイマーを開始し、
前記端末は、後続の各タイミング単位において、後続のＵＬ/ＤＬデータ伝送の有無を判断し、
後続のＵＬ/ＤＬデータ伝送がなければ、各タイミング単位において、前記第１タイマーが期限切れになるまでに、前記第１タイマーに１を加え、前記タイミング単位は、伝送時間間隔（ＴＴＩ）、サブフレームまたは所定の絶対時間であり、
端末は、後続のタイミング単位でアップリンクデータ伝送及びまたはダウンリンクデータ伝送があると判断すると、前記第１タイマーを停止し、
前記端末は、前記第１タイマーが期限切れになったと確定すると、前記端末が接続状態から非アクティブ状態に入ることを制御する。
【００３７】
可能の実施形態では、前記処理ユニットは、前記設定ポリシーに基づき、前記端末が接続状態から非アクティブ状態に入ることを制御する前に、その後にアップリンクデータ伝送がないと確定するまたはダウンリンクデータ伝送。
【００３８】
可能の実施形態では、前記処理ユニットは、以下の方式で、その後にアップリンクデータ伝送がないと確定し、
アップリンクデータバッファが空であると確定した場合、その後にアップリンクデータ伝送がないと確定し、または、
アップリンクトラフィック完成またはアップリンクトラフィック終了を指示するためのトリガー指令を受信した場合、その後にアップリンクデータ伝送がないと確定し、
前記処理ユニットは、以下の方式で、その後にダウンリンクデータ伝送がないと確定し、
基地局から送信された、最後１つのダウンリンクデータパケットであることを示す指示を受信した場合、その後にダウンリンクデータ伝送がないと確定し、または
第２タイマーが期限切れになった後、ダウンリンクデータ伝送を受信できていない場合、その後にダウンリンクデータ伝送がないと確定し、前記第２タイマーは、前記端末が基地局ダウンリンクデータ伝送を受信した後に、開始されたものである。
【００３９】
可能の実施形態では、前記装置は送信ユニットをさらに備え、
前記送信ユニットは、前記受信ユニットが基地局から設定ポリシーを受信する前、基地局に、非アクティブ状態に入ることを許可することを要求する要求メッセージを送信する。
【００４０】
可能の実施形態では、前記装置は送信ユニットをさらに備え、
前記送信ユニットは、前記処理ユニットが前記設定ポリシーに基づき、前記端末が接続状態から非アクティブ状態に入るように制御した後、基地局に接続再開要求を送信し、前記接続再開要求に前記端末の非アクティブ状態で用いられるエリア内の唯一の識別子が含まれ、
前記処理ユニットは、前記端末と前記基地局との間に接続を確立し、前記端末を非アクティブ状態から接続状態に入るようにする。
【００４１】
可能の実施形態では、前記装置は送信ユニットをさらに備え、
前記送信ユニットは、前記処理ユニットが前記設定ポリシーに基づき、前記端末が接続状態から非アクティブ状態に入るように制御した後、基地局にデータ伝送要求を送信し、前記データ伝送要求に前記端末の非アクティブ状態で用いられるエリア内の唯一の識別子が含まれ、
前記処理ユニットは、前記基地局から送信された端末の非アクティブ状態で格納された端末コンテキストに基づき、非アクティブ状態でのデータ伝送を行う。
【００４２】
可能の実施形態では、前記受信ユニットは、以下の方式で、接続状態にある端末において、基地局から送信された設定ポリシーを受信し、
基地局への接続確立プロセスでの接続確立命令により、前記設定ポリシーを受信し、または
接続再設定命令により、前記設定ポリシーを受信し、または
在切り替えプロセスでの切り替えシグナリングにより、前記設定ポリシーを受信する。
【００４３】
第４態様によれば、端末状態の切り替え装置は、
基地局において、端末が自主的に非アクティブ状態に入るための設定ポリシーを設定する処理ユニットと、
前記端末に前記設定ポリシーを送信する送信ユニットとを備える。
【００４４】
可能の実施形態では、前記設定ポリシーに、前記端末が非アクティブ状態に入ることを許可することを示す指示情報が含まれる。
【００４５】
可能の実施形態では、前記設定ポリシーには前記端末の非アクティブ状態で用いられるエリア内の唯一の識別子が含まれる。
【００４６】
可能の実施形態では、前記設定ポリシーに前記端末が自主的に非アクティブ状態に入ることを示す第１タイマーが含まれる。
【００４７】
可能の実施形態では、前記送信ユニットは、以下の方式で、前記端末に前記設定ポリシーを送信し、
接続確立プロセスでの接続確立シグナリングにより、前記設定ポリシーを送信し、または
接続再設定命令により、前記設定ポリシーを送信し、または
端末切り替えプロセスでの切り替えシグナリングにより、前記設定ポリシーを送信する。
【００４８】
可能の実施形態では、前記処理ユニットは、
前記送信ユニットが前記端末に前記設定ポリシーを送信した後、設定ポリシーに基づいて前記端末が接続状態から非アクティブ状態に入ったと確定し、前記端末が非アクティブ状態に入る前の端末コンテキストを格納し、前記端末が接続状態でデータを伝送するのに用いられる無線インターフェースの唯一の識別子を解放する。
【００４９】
可能の実施形態では、前記処理ユニットは、以下の方式で、前記端末が接続状態から非アクティブ状態に入ったと確定し、
前記端末がその後にアップリンクデータ送信及びダウンリンクデータ伝送がないことを確定した場合、前記端末が非アクティブ状態に入るのに用いられる第１タイマーを開始し、
前記基地局は、後続の各タイミング単位において、後続のＵＬ/ＤＬデータ伝送の有無を判断し、
後続のＵＬ/ＤＬデータ伝送がなければ、各タイミング単位において、前記第１タイマーが期限切れになるまでに、前記第１タイマーに１を加え、前記タイミング単位は、伝送時間間隔（ＴＴＩ）、サブフレームまたは所定の絶対時間であり、
前記端末がその後にアップリンクデータ伝送及びまたはダウンリンクデータ伝送をすれば、前記第１タイマーを停止し、
前記第１タイマーが期限切れになったと確定すると、前記端末が接続状態から非アクティブ状態に入ったと確定する。
【００５０】
可能の実施形態では、前記処理ユニットは、以下の方式で、前記端末がその後にアップリンクデータ送信をしないことを確定し、
前記端末により報告された前記端末のアップリンクバッファが空であることを示す指示情報を受信すると、前記端末がその後にアップリンクデータ送信をしないことを確定し、または、
端末により報告されたバッファに基づき、最後１つのアップリンクデータパケットを受信したと確定した後、第２タイマーを開始させ、前記第２タイマーが期限切れになった後にアップリンク伝送のデータを受信できていないと、前記端末がその後にアップリンクデータ送信をしないことを確定し、または、
前記端末により報告されたアップリンクトラフィック完成またはアップリンクトラフィック終了を指示するためのトリガー指令を受信すると、前記端末がその後にアップリンクデータ送信をしないことを確定し、
前記処理ユニットは、以下の方式で、前記端末にその後のダウンリンクデータの伝送がないと確定し、
前記端末に対するダウンリンクデータバッファが空であると確定すると、前記端末にその後のダウンリンクデータの伝送がないと確定し、または、
前記端末は、ダウンリンクトラフィック完成またはダウンリンクトラフィック終了を指示するトリガー指令を受信した場合、前記端末にその後のダウンリンクデータの伝送がないと確定する。
【００５１】
可能の実施形態では、前記処理ユニットは、以下の方式で、前記端末が接続状態から非アクティブ状態に入ったと確定し、
ターゲット基地局から前記端末コンテキスト取得要求を受信した場合、前記端末が接続状態から非アクティブ状態に入ったと確定し、
前記ターゲット基地局は、前記端末から、前記端末の非アクティブ状態で用いられるエリア内の唯一の識別子が含まれる接続再開要求またはデータ伝送要求を受信した基地局である。
【００５２】
可能の実施形態では、前記送信ユニットは、
前記処理ユニットがターゲット基地局から前記端末コンテキスト取得要求を受信した後、前記ターゲット基地局に前記端末コンテキストを転送する。
【００５３】
可能の実施形態では、前記処理ユニットは、以下の方式で、前記端末が接続状態から非アクティブ状態に入ったと確定し、
前記端末から、前記端末の非アクティブ状態で用いられるエリア内の唯一の識別子が含まれる接続再開要求またはデータ伝送要求を受信した場合、前記端末が接続状態から非アクティブ状態に入ったと確定する。
【００５４】
可能の実施形態では、前記装置は受信ユニットをさらに備え、
前記受信ユニットは、前記処理ユニットが、端末が自主的に非アクティブ状態に入るための設定ポリシーを設定する前、前記端末から、非アクティブ状態に入ることを許可することを要求する要求メッセージを受信する。
【００５５】
端末状態の切り替え装置は、プロセッサと、受信機と、メモリとを備え、
前記メモリは、プロセッサにより実行されるプログラムコードを格納し、
前記プロセッサは、前記メモリに格納されたログラムを呼び出して、前記受信機を介して接続状態にある端末において、基地局から送信された設定ポリシーを受信し、前記設定ポリシーは、前記端末が非アクティブ状態に入ったかを判断するルールであり、かつ、前記設定ポリシーに基づき、前記端末を前記接続状態から非アクティブ状態に入るようにする。
【００５６】
端末状態の切り替え装置は、送受信機と、前記送受信機と接続する少なくとも１つのプロセッサとを備え、
前記プロセッサは、メモリに格納されたプログラムを読み出し、基地局において端末が自主的に非アクティブ状態に入るための設定ポリシーを設定し、送受信機を介して前記設定ポリシーを端末に送信し、
前記送受信機は、前記プロセッサの制御によりデータを送受信する。
【図面の簡単な説明】
【００５７】
【図１】本発明の実施例に適用できるネットワーク設定アーキテクチャを示す図である。
【図２】本発明の実施例に適用できる他のネットワーク設定アーキテクチャを示す図である。
【図３】本発明の実施例に係る端末がＣＯＮＮＥＣＴＥＤ状態からＩｎａｃｔｉｖｅ状態に入る実施プロセスフローチャートである。
【図４】本発明の実施例に係る端末がＣＯＮＮＥＣＴＥＤ状態からＩｎａｃｔｉｖｅ状態に入る可能の実施形態のフローチャートである。
【図５】本発明の実施例に係るＩｎａｃｔｉｖｅ状態にある端末がターゲット基地局で接続を再開するか、または、Ｉｎａｃｔｉｖｅ状態でデータを伝送するフローチャートである。
【図６】本発明の実施例に係る基地局側で制御端末がＣＯＮＮＥＣＴＥＤ状態からＩｎａｃｔｉｖｅ状態に入るフローチャートである。
【図７】本発明の実施例に係るＩｎａｃｔｉｖｅ状態にある端末がアンカー基地局側で接続を再開するフローチャートである。
【図８】本発明の実施例に係るＩｎａｃｔｉｖｅ状態にある端末がアンカー基地局側においてＩｎａｃｔｉｖｅ状態でデータを伝送するフローチャートである。
【図９】本発明の実施例に係る端末状態の切り替え装置の構造図である。
【図１０】本発明の実施例に係る端末状態の切り替え装置の他の構造図である。
【図１１】本発明の実施例に係る端末状態の切り替え装置の他の構造図である。
【図１２】本発明の実施例に係る他の端末状態の切り替え装置の構造図である。
【図１３】本発明の実施例に係る他の端末状態の切り替え装置の他の構造図である。
【図１４】本発明の実施例に係る他の端末状態の切り替え装置の他の構造図である。
【発明を実施するための形態】
【００５８】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００５９】
無線通信システムの発展とともに、多様な種類の端末装置、およびトラフィックの種類があり、したがって端末装置の電力節約における要求、ネットワークリソース節約における要求、さまざまな種類のトラフィックにおける要求もまた存在する。満足しなければならない。端末の電力を節約しながら端末がデータを迅速に送信することを可能にするために、新しい端末状態、すなわち非アクティブ状態（Ｉｎａｃｔｉｖｅ）が導入され、Ｉｎａｃｔｉｖｅ状態の端末はコアネットワークに接続されたままであるが従来の動作を実行しない。無線インターフェース接続状態（例えば、ハンドオーバ、アップリンクタイミングの更新、無線リンクの監視など）にあり、無線インターフェース送信に直接使用される端末識別子（例えば、Ｃ−ＲＮＴＩ）は割り当てられない。したがって、Ｉｎａｃｔｉｖｅ状態にある端末は、いかなる無線インターフェーススケジュール送信を直接実行することはできない。
【００６０】
Ｉｎａｃｔｉｖｅ状態で許可される操作は以下とおりである。
【００６１】
-コアネットワークは、ＵＥが接続状態にあると判断する。
【００６２】
-移動性は、ハンドオーバプロセスの代わりにセル再選択プロセスにおけるネットワーク側の事前設定された無線アクセスネットワーク（Ｒａｄｉｏ Ａｃｃｅｓｓ Ｎｅｔｗｏｒｋ，ＲＡＮ）トラッキングエリア内でＵＥによって実行される。
【００６３】
-端末に、ネットワーク側により事前設定されたＲＡＮトラッキングエリア内の唯一のユーザー識別子が割り当てられた。
【００６４】
Ｉｎａｃｔｉｖｅ状態では、ネットワーク側は、端末の特定のエリアに有効なＲＡＮ識別子を割り当てる。当該識別子は、Ｉｎａｃｔｉｖｅ状態の端末を識別するために使用され、ネットワーク側が端末を見つけるためにまたは端末がアクティブにアップリンクアクセスを開始するために身分識別として使用されることができる。本発明実施例では、非アクティブ状態の端末によって使用されているエリア内の唯一の識別子（Ｉｎａｃｔｉｖｅ ＵＥ ＩＤ）であり、勿論、ｒｅｓｕｍｅ ＵＥ ＩＤとも呼ばれることができる。当該識別子は、グローバルに唯一の国際移動体ユーザー識別子（Ｉｎｔｅｒｎａｔｉｏｎａｌ Ｍｏｂｉｌｅ Ｓｕｂｓｃｒｉｂｅｒ Ｉｄｅｎｔｉｔｙ，ＩＭＳＩ）又は接続状態端末識別子Ｃ−ＲＮＴＩ，Ｉｎａｃｔｉｖｅとは異なり、ＵＥ ＩＤ長は、ＩＭＳＩとＣ−ＲＮＴＩの間にある（例えば、Ｉｎａｃｔｉｖｅ ＵＥ ＩＤ長さは４０ｂｉｔであり、Ｃ−ＲＮＴＩ長さは１６ｂｉｔである）、複数のセルまたは複数の基地局を含む特定のエリア内でのみ有効であり、当該エリアを超えた場合、端末はＩｎａｃｔｉｖｅＵＥ ＩＤを更新する必要がある。
【００６５】
現在、端末はＩＤＬＥ状態からＣＯＮＮＥＣＴＥＤ状態への、またはＣＯＮＮＥＣＴＥＤ状態からＩＤＬＥ状態への切り替えのみをサポートしており、ＣＯＮＮＥＣＴＥＤ状態とＩｎａｃｔｉｖｅ状態との間の遷移はできない。
【００６６】
本発明の実施例が端末状態の切り替え方法を提供し、端末がＣＯＮＮＥＣＴＥＤ状態とＩｎａｃｔｉｖｅ状態との間の切り替えを実施できるようにする。
【００６７】
本発明実施例では、端末が自主的に非アクティブ状態に入るための設定ポリシーは基地局によって設定されることができ、端末は前記設定ポリシーに従って非アクティブ状態に入る。
【００６８】
以下、まずは、本発明の実施例に係る端末状態の切り替え方法の適用可能な実施可能な環境ＲＡＮ側ネットワークアーキテクチャを簡単に説明する。具体的には、将来の移動通信で採用される可能性があるネットワーク設定アーキテクチャについて説明する。
【００６９】
図１は、ネットワーク設定アーキテクチャ１を示す図であり、図示のように、アーキテクチャは、典型的なＬＴＥアーキテクチャとして基地局とＵＥとを含む。進化型基地局（Ｅｖｏｌｖｅｄ ＮｏｄｅＢ，ｅＮＢ）にセル（ｃｅｌｌ）は複数存在し、接続状態の端末は無線インターフェースを介してセルとデータの送受信を行い、接続状態の端末にはセル内の唯一の端末識別子Ｃ−ＲＮＴＩが割り当てられる。
【００７０】
図２は、ネットワーク設定アーキテクチャを示す図であり、図示のように、アーキテクチャにおいて、ネットワーク側ノードは、中央ユニット（Ｃｅｎｔｒａｌ Ｕｎｉｔ，ＣＵ）及び分散式ユニット（Ｄｉｓｔｒｉｂｕｔｅｄ Ｕｎｉｔ，ＤＵ）に分けられ、ユーザー側ノードは端末である。
【００７１】
図２は将来の移動通信５Ｇに採用可能のアーキテクチャであり、ネットワーク側ノードは、中央ユニット及び分散式ユニットを含む。１個の中央ユニットは、特定エリア内の所定の複数の分散式ユニットを制御する。これらの分散式ユニットは、伝送ポイントＴＲＰ（Ｔｒａｎｓｍｉｓｓｉｏｎ Ｒｅｃｅｐｔｉｏｎ Ｐｏｉｎｔ，送受信ノード）により、端末と無線インターフェース伝送を行う。１つまたは複数の伝送ポイントは、同時に端末にサービス提供して、データを伝送することができる。いずれの方式を採用しても、ネットワーク側により、端末に端末無線インターフェースの唯一の識別子を割り当ててデータをスケジュール及び伝送する必要がある。当該識別子は、Ｃ−ＲＮＴＩまたはＴＲＰ−ＲＮＴＩである。
【００７２】
本発明の実施例に係る技術案は、少なくとも上述の２種のＲＡＮアーキテクチャに適用できる。以下、説明の便宜のため、接続状態の端末の伝送に用いられる端末唯一の識別子を端末無線インターフェース伝送唯一の識別子と呼ばれ、具体的に、当該識別子は伝統なＬＴＥでのＣ−ＲＮＴＩである。Ｉｎａｃｔｉｖｅ状態にある端末のエリア内の唯一の識別子は、Ｉｎａｃｔｉｖｅ ＵＥ ＩＤと呼ばれる。ネットワーク側の無線シグナリング及びデータ送受信ノードは、設定アーキテクチャ１内のｅＮＢまたは設定アーキテクチャ２内のＣＵ/ＤＵ（送受信ポイントはTRPである）のいずれも、基地局と称する。
【００７３】
本発明実施例では、本発明の実施例に係る端末がＣＯＮＮＥＣＴＥＤ状態からＩｎａｃｔｉｖｅ状態に入る実施プロセスについて、以下詳しく説明する。
【００７４】
図３は本発明の実施例に係る端末がＣＯＮＮＥＣＴＥＤ状態からＩｎａｃｔｉｖｅ状態に入る実施プロセスフローチャートであり、図３に示すように、以下のステップを備える。
【００７５】
S１０１：ＣＯＮＮＥＣＴＥＤ状態にある端末は、基地局により送信された設定ポリシーを受信する。前記設定ポリシーは、前記端末が非アクティブ状態に入ったかを判断するルールである。
【００７６】
本発明に係る実施例では、前記設定ポリシーは、前記端末がＩｎａｃｔｉｖｅ状態に入ることを許可する指示情報を含む。前記設定ポリシーに、基地局が端末に送信したＩｎａｃｔｉｖｅ ＵＥ ＩＤが含まれる。Ｉｎａｃｔｉｖｅ ＵＥ ＩＤは、端末がＩｎａｃｔｉｖｅ状態にあるために必須のものであり、基地局が端末にＩｎａｃｔｉｖｅ ＵＥ ＩＤを送信することは、基地局は、端末がＩｎａｃｔｉｖｅ状態に入ることを認めると認識できる。前記設定ポリシーは、前記端末により設定された、Ｉｎａｃｔｉｖｅ状態に入るタイマーを含む。当該タイマーは、端末により事前設定されたものであるか、または、プロトコルにより規定されたものである。本発明の実施例では、説明の便宜のため、当該タイマーを第１タイマーと称する。
【００７７】
可能の実施形態では、前記端末は、基地局にＩｎａｃｔｉｖｅ状態への入りを許可することを要求する要求メッセージを送信し、基地局は、前記要求メッセージに基づいて、前記端末が自主的にＩｎａｃｔｉｖｅ状態に入るための設定ポリシーを設定する。
【００７８】
本発明の実施例に係る前記端末は、以下の方式で、基地局から送信された設定ポリシーを受信する。
【００７９】
可能の実施形態では、前記端末は、基地局への接続確立プロセスでの接続確立命令により、前記設定ポリシーを受信する。
【００８０】
他の可能の実施形態では、前記端末接続再設定命令により、前記設定ポリシーを受信し、または
別の可能の実施形態では、前記端末は、ハンドオーバプロセスでのハンドオーバシグナリングにより、前記設定ポリシーを受信する。
【００８１】
S１０２：前記端末は、前記設定ポリシーに基づき、前記ＣＯＮＮＥＣＴＥＤ状態から前記Ｉｎａｃｔｉｖｅ状態に入る。
【００８２】
本発明の実施例に係る前記端末は、前記設定ポリシーに基づき、前記ＣＯＮＮＥＣＴＥＤ状態から前記Ｉｎａｃｔｉｖｅ状態に入る前に、前記端末は、その後にアップリンクデータ送信またはダウンリンクデータ伝送があることを確定する必要がある。
【００８３】
ここで、端末は、ダウンリンクデータ伝送がないと確定する場合、以下の方式のうちの１つまたは複数で確定する。
【００８４】
Ａ：前記端末は、基地局から送信された、最後１つのダウンリンクデータパケットであることを示す指示を受信した場合、その後にダウンリンクデータ伝送がないと確定する。
【００８５】
Ｂ：前記端末は、第２タイマーが期限切れになった後、ダウンリンクデータ伝送を受信できていない場合、その後にダウンリンクデータ伝送がないと確定し、前記第２タイマーは、前記端末が基地局ダウンリンクデータ伝送を受信した後に、開始されたものである。
【００８６】
端末は、アップリンクデータ伝送がないことを確定する場合、以下の方式のうちの１つまたは複数で確定する。
【００８７】
Ａ：前記端末は、アップリンクデータバッファが空であると確定した場合、その後にアップリンクデータ伝送がないと確定する。
【００８８】
Ｂ：前記端末は、アップリンクトラフィック完成またはアップリンクトラフィック終了を指示するためのトリガー指令を受信した場合、その後にアップリンクデータ伝送がないと確定する。ここで、前記トリガー指令、例えば、端末内部の応用層でトリガーすることができる。
【００８９】
図４は、本発明の実施例に係る端末のＣＯＮＮＥＣＴＥＤ状態からＩｎａｃｔｉｖｅ状態に入る可能の実施形態のフローチャートであり、図４に示すように、以下のステップを備える。
【００９０】
S２０１：前記端末は、その後にアップリンクデータ伝送及びダウンリンクデータ伝送の有無を判断することにより、その後にアップリンクデータ伝送及びダウンリンクデータ伝送がないと確定する。
【００９１】
S２０２：前記端末は、前記第１タイマーを開始する。
【００９２】
S２０３：前記端末は、後続の各タイミング単位において、後続のＵＬ/ＤＬデータ伝送の有無を判断し、後続のＵＬ/ＤＬデータ伝送がなければ、各タイミング単位において、前記第１タイマーに１を加え、前記タイミング単位は、伝送時間間隔（Ｔｒａｎｓｍｉｓｓｉｏｎ Ｔｉｍｅ Ｉｎｔｅｒｖａｌ，ＴＴＩ）、サブフレームまたは所定の絶対時間（例えば、０.５ｍｓまたは１ｍｓ）である。
【００９３】
S２０４：後続のアップリンクデータ伝送またはダウンリンクデータ伝送の有無を判断する。
【００９４】
後続のアップリンクデータ伝送またはダウンリンクデータ伝送があれば、前記第１タイマーを停止する。
【００９５】
その後にアップリンクデータ伝送及びダウンリンクデータ伝送がなければ、前記第１タイマーを引き続き動作させる。
【００９６】
S２０５：前記第１タイマーが期限切れになったかを判断し、期限切れになっていなければ、S２０３の実行に戻し、期限切れになると、S２０６を実行する。
【００９７】
S２０６：前記端末は、前記ＣＯＮＮＥＣＴＥＤ状態から前記Ｉｎａｃｔｉｖｅ状態に入る。
【００９８】
本発明に係る実施例は、上記のような方式で、自主的にＩｎａｃｔｉｖｅ状態に入る。
【００９９】
本発明の実施例に係る端末がＣＯＮＮＥＣＴＥＤ状態からＩｎａｃｔｉｖｅ状態に入った後、再度の状態切り替え（例えば、前記端末が接続再開する必要があり、Ｉｎａｃｔｉｖｅ状態からＣＯＮＮＥＣＴＥＤ状態にはいる）が必要とすれば、またはＩｎａｃｔｉｖｅ状態でデータを伝送する必要があれば、前記端末は、ターゲット基地局またはアンカー基地局に接続再開要求またはデータ伝送要求を送信し、前記接続再開要求または前記データ伝送要求に前記Ｉｎａｃｔｉｖｅ状態の端末に用いられるＩｎａｃｔｉｖｅ ＵＥ ＩＤが含まれる。
【０１００】
本発明の実施例に係る端末は、接続再開またはＩｎａｃｔｉｖｅ状態でデータを伝送するには、以下のいくつかの状況がある。
【０１０１】
状況１：端末は、既に他の基地局（本発明に係る実施例では、いかターゲット基地局と称する）に入った。ターゲット基地局は、端末の元の接続先である基地局（本発明に係る実施例では、アンカー基地局と称する）から端末コンテキストを取得し、端末要求に従って、端末のＣＯＮＮＥＣＴＥＤ状態への入りまたはＩｎａｃｔｉｖｅ状態でデータを伝送する動作を完成させる。この際、アンカー基地局は、端末コンテキストを、基地局間のインターフェースを介してターゲット基地局に送信し、ターゲット基地局は、端末に対し、Ｉｎａｃｔｉｖｅ状態を選択可能に再設定し、Ｉｎａｃｔｉｖｅ ＵＥ ＩＤの設定も含む。
【０１０２】
実施形態では、アンカー基地局は、この際、端末がＩｎａｃｔｉｖｅ状態にまだ入っていないと誤解すれば、アンカー基地局は、端末コンテキストを基地局間のインターフェースを介してターゲット基地局に送信する以外、当該端末の状態をＩｎａｃｔｉｖｅ状態に更新し、かつ、アンカー基地局により割り当てられた端末のＣＯＮＮＥＣＴＥＤ状態で伝送に用いられる端末の唯一の識別子を解放する。即ち、端末無線インターフェース伝送唯一の識別子（Ｃ−ＲＮＴＩとも称される）を解放する。
【０１０３】
状況２：端末は、アンカー基地局に対し、再開接続またはＩｎａｃｔｉｖｅ状態でのデータ伝送を要求する。端末が再開接続を要求すれば、アンカー基地局は、端末が既にＩｎａｃｔｉｖｅ状態に入ったと確定した後、ＣＯＮＮＥＣＴＥＤ状態再開プロセスを開始する。端末がアンカー基地局において、Ｉｎａｃｔｉｖｅ状態内のデータ伝送を開始すれば、アンカー基地局は、端末の要求に応じて、Ｉｎａｃｔｉｖｅ状態内のデータ伝送プロセスを開始する。
【０１０４】
実施形態では、アンカー基地局は、この際、端末がＩｎａｃｔｉｖｅ状態にまだ入っていないと誤解すれば、端末の状態をＩｎａｃｔｉｖｅ状態に更新し、端末コンテキストを格納し、Ｉｎａｃｔｉｖｅ状態内のデータ伝送プロセスを開始する。
【０１０５】
他の実施形態では、端末がＩｎａｃｔｉｖｅ状態に入ったのに、基地局は、端末との認識と違い、端末がまだＣＯＮＮＥＣＴＥＤ状態であり、かつ、端末にダウンリンクデータを伝送する。ダウンリンクデータ伝送失敗閾値に到達（伝送失敗閾値は、所定数のデータパケット伝送失敗または所定時間内で正確伝送ができないことを示す値である）した後、端末がＩｎａｃｔｉｖｅ状態に入ったと判断し、Ｉｎａｃｔｉｖｅ ＵＥ ＩＤ及び他の端末コンテキストでＩｎａｃｔｉｖｅ状態にある端末に、ダウンリンクデータを伝送する。
【０１０６】
また、例えば、基地局は、端末が既にＩｎａｃｔｉｖｅ状態に入ったと判断したが、端末は、実に入っていない（まだＣＯＮＮＥＣＴＥＤ状態にいる）。端末がＩｎａｃｔｉｖｅ ＵＥ ＩＤを格納しているため、例えば、この場合、基地局が端末のＩｎａｃｔｉｖｅ状態への入りの動作（例えば、接続再開またはデータ伝送）を行うと、端末は、基地局の指示（例えば、ページング）に基づき、基地局との理解とずれていることを確定し、基地局の指示とおりに、Ｉｎａｃｔｉｖｅ状態出の動作を行えばよい。しかし、このような異常状態は、一般的に回避でき、簡単に言えば、基地局は、端末がＩｎａｃｔｉｖｅ状態に入るタイマーを遅延させるが、またはタイマー長を、端末の運行長さより長くすればよい。
【０１０７】
図５は、本発明の実施例に係るＩｎａｃｔｉｖｅ状態にある端末がターゲット基地局で接続を再開するか、または、Ｉｎａｃｔｉｖｅ状態でデータを伝送するフローチャートである。例えば、図５に示すように、以下のステップを備える
【０１０８】
S３０１：端末は、基地局（ターゲット基地局）に、接続再開要求またはデータ伝送要求を送信する。前記接続再開要求及び前記データ伝送要求にＩｎａｃｔｉｖｅ ＵＥ ＩＤが含まれる。
【０１０９】
S３０２：ターゲット基地局は、アンカー基地局に端末コンテキスト取得要求を送信する。
【０１１０】
S３０３：アンカー基地局は、前記ターゲット基地局の端末コンテキスト取得要求を受信した後、端末がＩｎａｃｔｉｖｅ状態にあると確定すると、端末状態をＩｎａｃｔｉｖｅ状態に更新し、該端末のために割り当てられたＣＯＮＮＥＣＴＥＤ状態で伝送するのに用いられる端末唯一の識別子を解放する。即ち、端末無線インターフェース伝送唯一の識別子（Ｃ−ＲＮＴＩとも称する）を解放する。
【０１１１】
S３０４：アンカー基地局は、端末コンテキストを、ターゲット基地局に転送し、かつ、端末コンテキストを削除することができる。端末のアンカー基地局をカレントターゲット基地局に更新する。
【０１１２】
S３０５：基地局（ターゲット基地局）と端末の間では、端末コンテキストに基づき、端末の接続再開またはデータ伝送プロセスを開始する。
【０１１３】
S３０６：例えば、端末がターゲット基地局において接続再開をしたのみ、アンカー基地局が更新されず、元のアンカー基地局のままでありながら、端末コンテキストを格納すれば、端末状態更新を送信してアンカー基地局に通知する必要がある。
【０１１４】
本発明に係る実施例では、基地局において、前記端末がＣＯＮＮＥＣＴＥＤ状態からＩｎａｃｔｉｖｅ状態に入るように制御するプロセスを説明する。
【０１１５】
図６は、本発明の実施例に係る基地局側で、端末がＣＯＮＮＥＣＴＥＤ状態からＩｎａｃｔｉｖｅ状態に入るように制御するフローチャートを示す図であり、例えば、図６に示すように、以下のステップを備える。
【０１１６】
S４０１：基地局は、端末が自主的にＩｎａｃｔｉｖｅ状態に入るための設定ポリシーを端末のために設定する。
【０１１７】
本発明に係る実施例では、基地局により端末のために設定された端末が自主的にＩｎａｃｔｉｖｅ状態に入るための設定ポリシーは、前記端末がＩｎａｃｔｉｖｅ状態に入ることを許可する指示情報をふくみ、または、前記端末がＩｎａｃｔｉｖｅ状態で用いられるエリア内の唯一の識別子、または、前記端末がＩｎａｃｔｉｖｅ状態にはいる第１タイマーを含むこともできる。
【０１１８】
本発明の実施例に係る基地局は、端末から送信された、Ｉｎａｃｔｉｖｅ状態荷はいることを要求する要求メッセージに応じて、前記端末が自主的にＩｎａｃｔｉｖｅ状態に入るための設定ポリシーを設定する。
【０１１９】
S４０２：前記基地局は、前記端末に前記設定ポリシーを送信する。
【０１２０】
本発明の実施例に係る前記基地局は、以下の方式のうちの１つまたは複数で、前記端末に前記設定ポリシーを送信する。
【０１２１】
実施形態では、前記基地局は、接続確立プロセスでの接続確立命令により、前記設定ポリシーを送信する。他の実施形態では、前記基地局接続再設定命令により、前記設定ポリシーを送信する。実施形態では、前記基地局は、端末ハンドオーバプロセスでのハンドオーバシグナリングにより、前記設定ポリシーを送信する。
【０１２２】
本発明に係る実施例では、前記基地局は、前記端末に前記設定ポリシーを送信した後、前記端末が前記設定ポリシーに基づいてＣＯＮＮＥＣＴＥＤ状態からＩｎａｃｔｉｖｅ状態に入る状況により、前記基地局は、前記端末がＣＯＮＮＥＣＴＥＤ状態からＩｎａｃｔｉｖｅ状態に入ったと確定し、前記端末がＩｎａｃｔｉｖｅ状態に入る前の端末コンテキストを格納し、また、前記端末がＣＯＮＮＥＣＴＥＤ状態でデータを伝送するのに用いられる端末唯一の識別子、即ち、端末無線インターフェース伝送唯一の識別子（Ｃ−ＲＮＴＩとも称する）を解放する。
【０１２３】
本発明に係る実施例では、前記基地局は、以下のいくつかの方式で、前記端末がＣＯＮＮＥＣＴＥＤ状態からＩｎａｃｔｉｖｅ状態に入ることを確定する。
【０１２４】
第１の実施形態では、前記基地は前記第１タイマーに基づき、端末がＩｎａｃｔｉｖｅ状態に入ったと確定する。
【０１２５】
具体的に、前記基地局は、前記端末がその後にアップリンクデータ送信及びダウンリンクデータ伝送があることを確定した場合、前記端末が自主的にＩｎａｃｔｉｖｅ状態にはいるのに用いられる第１タイマーを開始する。前記基地局は、後続の各タイミング単位において、後続のＵＬ/ＤＬデータ伝送の有無を判断し、後続のＵＬ/ＤＬデータ伝送がなければ、各タイミング単位において、前記第１タイマーが期限切れになるまでに、前記第１タイマーに１を加え、前記タイミング単位は、ＴＴＩ、サブフレームまたは所定の絶対時間である。前記基地局は、後続のタイミング単位でアップリンクデータ伝送及びまたはダウンリンクデータ伝送があると確定すると、前記第１タイマーを停止する。前記基地局は、前記第１タイマーが期限切れになったと確定すると、前記端末が前記ＣＯＮＮＥＣＴＥＤ状態からＩｎａｃｔｉｖｅ状態に入ったと確定する。
【０１２６】
具体的に、前記基地局は、以下の方式のうちの１つまたは複数で、前記端末がその後にアップリンクデータ送信をしないことを確定する場合、
【０１２７】
実施形態では、前記基地局は、前記端末により報告された前記端末のアップリンクバッファが空であることを示す指示情報を受信すると、前記端末がその後にアップリンクデータ送信をしないことを確定する。他の実施形態では、前記基地局は、端末により報告されたバッファに基づき、最後１つのアップリンクデータパケットを受信したと確定した後、第２タイマーを開始させ、前記第２タイマーが期限切れになった後にアップリンク伝送のデータを受信できていないと、前記端末がその後にアップリンクデータ送信をしないことを確定する。実施形態では、前記基地局は、前記端末により報告されたアップリンクトラフィック完成またはアップリンクトラフィック終了を指示するためのトリガー指令を受信すると、前記端末がその後にアップリンクデータ送信をしないことを確定する。ここで、前記トリガー指令は、端末内部のトリガー指令により送信されることができる。
【０１２８】
具体的に、前記基地局は、以下の方式のうちの１つまたは複数で、前記端末にその後のダウンリンクデータの伝送がないと確定する。
【０１２９】
実施形態では、前記基地局は、前記端末に対するダウンリンクデータバッファが空であると確定すると、前記端末にその後のダウンリンクデータの伝送がないと確定する。他の実施形態では、前記基地局は、前記端末は、ダウンリンクトラフィック完成またはダウンリンクトラフィック終了を指示するトリガー指令を受信した場合、前記端末にその後のダウンリンクデータの伝送がないと確定する。前記端末は、ダウンリンクトラフィック完成またはダウンリンクトラフィック終了を指示するトリガー指令を、コアネットワークにより、前記基地局に送信することができる。
【０１３０】
第２の実施形態では、前記基地局は、他の基地局のトリガーに基づき、前記端末がＣＯＮＮＥＣＴＥＤ状態からＩｎａｃｔｉｖｅ状態に入ると確定する。
【０１３１】
前記基地局は、ターゲット基地局から前記端末コンテキスト取得要求を受信した場合、前記端末がＣＯＮＮＥＣＴＥＤ状態からＩｎａｃｔｉｖｅ状態に入ると確定する。ここで、前記ターゲット基地局は、前記端末により送信された、前記端末がＩｎａｃｔｉｖｅ状態で用いられるエリア内の唯一の識別子が含まれる接続再開要求またはデータ伝送要求を受信した基地局である。
【０１３２】
具体的に、前記基地局は、ターゲット基地局から前記端末コンテキスト取得要求を受信した後、前記基地局は、前記ターゲット基地局に前記端末コンテキストを転送する。こうして、前記ターゲット基地局は、前記端末との間で、接続再開プロセスまたはデータ伝送プロセスを開始することができる。
【０１３３】
第３の実施形態では、前記基地局は、端末の接続再開要求またはデータ伝送要求弐基づき、前記端末がＣＯＮＮＥＣＴＥＤ状態からＩｎａｃｔｉｖｅ状態に入ると確定する。
【０１３４】
端末により送信された接続再開要求またはデータ伝送要求にＩｎａｃｔｉｖｅ ＵＥ ＩＤが含まれるため、基地局は、端末により送信された、Ｉｎａｃｔｉｖｅ ＵＥ ＩＤが含まれる接続再開要求またはデータ伝送要求を受信した後、前記端末がＣＯＮＮＥＣＴＥＤ状態からＩｎａｃｔｉｖｅ状態に入ることを確定することができる。
【０１３５】
図７は、本発明の実施例に係るＩｎａｃｔｉｖｅ状態にある端末が、アンカー基地局側において接続再開（端末はＩｎａｃｔｉｖｅ状態からＣＯＮＮＥＣＴＥＤ状態に入る）を実現するフローチャートである。例えば、図７に示すように、以下のステップを備える。
【０１３６】
Ｓ５０１：端末は、アンカー基地局に接続再開要求を送信し、前記接続再開要求にＩｎａｃｔｉｖｅ ＵＥ ＩＤが含まれる。
【０１３７】
Ｓ５０２：アンカー基地局は、Ｉｎａｃｔｉｖｅ ＵＥ ＩＤが含まれる前記接続再開要求を受信して、前記端末がＩｎａｃｔｉｖｅ状態であると確定し、後続の接続再開プロセスを行い、端末状態をＣＯＮＮＥＣＴＥＤ状態に切り替える。
【０１３８】
図８は本発明の実施例に係るＩｎａｃｔｉｖｅ状態にある端末が、アンカー基地局側において、Ｉｎａｃｔｉｖｅ状態でのデータ伝送を実現するフローチャートである。例えば、図８に示すように、以下のステップを備える。
【０１３９】
Ｓ６０１：端末は、アンカー基地局に、Ｉｎａｃｔｉｖｅ状態でデータを伝送することを要求するデータ伝送要求を送信する。前記データ伝送要求にＩｎａｃｔｉｖｅ ＵＥ ＩＤが含まれる。
【０１４０】
Ｓ６０２：アンカー基地局は、前記データ伝送要求を受信し、当該端末が現在Ｉｎａｃｔｉｖｅ状態にあると確定し、当該端末コンテキストを格納し、当該端末のために割り当てられたＣＯＮＮＥＣＴＥＤ状態で伝送するのに用いられる端末唯一の識別子、即ち、端末無線インターフェース伝送唯一の識別子（Ｃ−ＲＮＴＩとも称する）を解放する。当該端末に対し、Ｉｎａｃｔｉｖｅ状態でのデータ伝送を行う。
【０１４１】
同様な発明思想に基づき、本発明に係る実施例は、端末状態の切り替え装置をさらに提供し、当該装置の課題解決原理は上述の図３ないし図５に示す端末状態の切り替え方法での端末により実行される機能方法と類似するため、当該装置の実施は方法の実施を参照することができ、繰り返して説明しない。
【０１４２】
図９に示す実施例では、端末状態の切り替え装置を提供し、前記切り替え装置は、
接続状態にある端末において、基地局から送信された設定ポリシーを受信する受信ユニット１０１と、前記設定ポリシーに基づき、前記端末を前記接続状態から非アクティブ状態に入るようにする処理ユニット１０２とを備える。
【０１４３】
前記設定ポリシーは、前記端末が非アクティブ状態に入ったかを判断するルールである。
【０１４４】
可能の実施形態では、前記設定ポリシーには前記端末が非アクティブ状態に入ることを許可することを示す指示情報が含まれる。
【０１４５】
可能の実施形態では、前記設定ポリシーには前記端末の非アクティブ状態で用いられるエリア内の唯一の識別子が含まれる。
【０１４６】
可能の実施形態では、前記設定ポリシーは、前記端末が非アクティブ状態に入るのに用いられる第１タイマーを含む。
【０１４７】
可能の実施形態では、前記処理ユニット１０２は、以下の方式で、前記設定ポリシーに基づき、前記端末を前記接続状態から非アクティブ状態に入るようにする。
【０１４８】
その後のアップリンクデータ伝送またはダウンリンクデータ伝送の有無を判断し、その後にアップリンクデータ伝送またはダウンリンクデータ伝送がなければ、前記端末は、前記第１タイマーを開始する。後続の各タイミング単位において、後続のＵＬ/ＤＬデータ伝送の有無を判断し、後続のＵＬ/ＤＬデータ伝送がなければ、各タイミング単位において、前記第１タイマーが期限切れになるまでに、前記第１タイマーに１を加え、前記タイミング単位は、伝送時間間隔（ＴＴＩ）、サブフレームまたは所定の絶対時間である。後続のタイミング単位でアップリンクデータ伝送及びまたはダウンリンクデータ伝送があると判断すれば、前記第１タイマーを停止する。前記第１タイマーが期限切れになったと確定すると、前記端末を前記接続状態から非アクティブ状態に入るようにする。
【０１４９】
可能の実施形態では、前記処理ユニット１０２は、前記設定ポリシーに基づき、前記端末を前記接続状態から非アクティブ状態に入るようにする前、その後にアップリンクデータ伝送及びダウンリンクデータ伝送がないと確定する。
【０１５０】
可能の実施形態では、前記処理ユニット１０２は、以下の方式で、その後にアップリンクデータ伝送がないと確定する。
【０１５１】
アップリンクデータバッファが空であると確定した場合、その後にアップリンクデータ伝送がないと確定する。
【０１５２】
または、アップリンクトラフィック完成またはアップリンクトラフィック終了を指示するためのトリガー指令を受信した場合、その後にアップリンクデータ伝送がないと確定する。
【０１５３】
前記処理ユニット１０２は、以下の方式で、その後にダウンリンクデータ伝送がないと確定する。
【０１５４】
基地局から送信された、最後１つのダウンリンクデータパケットであることを示す指示を受信した場合、その後にダウンリンクデータ伝送がないと確定する。
【０１５５】
または、第２タイマーが期限切れになった後、ダウンリンクデータ伝送を受信できていない場合、その後にダウンリンクデータ伝送がないと確定し、前記第２タイマーは、前記端末が基地局ダウンリンクデータ伝送を受信した後に、開始されたものである。
【０１５６】
前記端末状態の切り替え装置は、送信ユニット１０３をさらに備える。例えば、図１０に示すように、送信ユニット１０３は、前記受信ユニット１０１が基地局から送信された設定ポリシーを受信する前、基地局に、非アクティブ状態に入ることを許可することを要求する要求メッセージを送信する。
【０１５７】
可能の実施形態では、前記送信ユニット１０３は、前記処理ユニット１０２が前記設定ポリシーに基づき、前記端末を前記接続状態から非アクティブ状態に入るようにした後、基地局に接続再開要求を送信し、前記接続再開要求に前記端末の非アクティブ状態で用いられるエリア内の唯一の識別子が含まれる。
【０１５８】
前記処理ユニット１０２は、前記端末と前記基地局との間に接続を確立し、前記端末を、前記非アクティブ状態から前記接続状態に切り換える。
【０１５９】
可能の実施形態では、前記送信ユニット１０３は、前記処理ユニット１０２が前記設定ポリシーに基づき、前記端末を前記接続状態から非アクティブ状態に入るようにした後、基地局にデータ伝送要求を送信し、前記データ伝送要求に前記端末の非アクティブ状態で用いられるエリア内の唯一の識別子が含まれる。
【０１６０】
前記処理ユニット１０２は、前記基地局から送信された端末の非アクティブ状態で格納された端末コンテキストに基づき、非アクティブ状態でのデータ伝送を行う。
【０１６１】
可能の実施形態では、前記受信ユニット１０１は、例えば、以下の方式で、接続状態にある端末において、基地局から送信された設定ポリシーを受信する。
【０１６２】
基地局への接続確立プロセスでの接続確立命令により、前記設定ポリシーを受信し、または接続再設定命令により、前記設定ポリシーを受信し、または在切り替えプロセスでの切り替えシグナリングにより、前記設定ポリシーを受信する。
【０１６３】
実施プロセスにおいて、前記端末状態の切り替え装置は端末であることができ、本発明に係る実施例では、前記端末状態の切り替え装置が端末であることを例として、本発明の実施例に係る前記端末状態の切り替え装置のハードウェアアーキテクチャ、処理形態を説明する。
【０１６４】
図１１に示す例において、前記端末状態の切り替え装置は、プロセッサ１００１と、受信機１００２と、トランスミッター１００３と、メモリ１００４とを備える。
【０１６５】
前記メモリ１００４は、プロセッサ１００１により実行されるプログラムコードを格納する。
【０１６６】
前記プロセッサ１００１は、前記メモリ１００４に格納されたログラムを呼び出し、前記受信機を介して１００２接続状態にある端末において、基地局から送信された設定ポリシーを受信し、前記設定ポリシーは、前記端末が非アクティブ状態に入ったかを判断するルールであり、かつ、前記設定ポリシーに基づき、前記端末を前記接続状態から非アクティブ状態に入るようにする。
【０１６７】
本発明の実施例に係る前記プロセッサ１００１は、前記メモリ１００４に格納されたログラムを呼び出し、具体的な実行機能は、例えば、いかとおりである。
【０１６８】
可能の実施形態では、前記設定ポリシーには前記端末が非アクティブ状態に入ることを許可することを示す指示情報が含まれる。
【０１６９】
可能の実施形態では、前記設定ポリシーには前記端末の非アクティブ状態で用いられるエリア内の唯一の識別子が含まれる。
【０１７０】
可能の実施形態では、前記設定ポリシーは、前記端末が非アクティブ状態に入るのに用いられる第１タイマーを含む。
【０１７１】
可能の実施形態では、前記プロセッサ１００１は、以下の方式で、前記設定ポリシーに基づき、前記端末を前記接続状態から非アクティブ状態に入るようにする。
【０１７２】
その後にアップリンクデータ伝送及びダウンリンクデータ伝送の有無を判断し、その後にアップリンクデータ伝送及びダウンリンクデータ伝送がなければ、前記端末は、前記第１タイマーを開始する。後続の各タイミング単位において、後続のＵＬ/ＤＬデータ伝送の有無を判断し、後続のＵＬ/ＤＬデータ伝送がなければ、各タイミング単位において、前記第１タイマーが期限切れになるまでに、前記第１タイマーに１を加え、前記タイミング単位は、伝送時間間隔（ＴＴＩ）、サブフレームまたは所定の絶対時間である。後続のタイミング単位でアップリンクデータ伝送及びまたはダウンリンクデータ伝送があると判断すれば、前記第１タイマーを停止する。前記第１タイマーが期限切れになったと確定すると、前記端末を前記接続状態から非アクティブ状態に入るようにする。
【０１７３】
可能の実施形態では、前記プロセッサ１００１は、前記設定ポリシーに基づき、前記端末を前記接続状態から非アクティブ状態に入るようにする前、その後にアップリンクデータ伝送及びダウンリンクデータ伝送がないと確定する。
【０１７４】
可能の実施形態では、前記プロセッサ１００１は、以下の方式で、その後にアップリンクデータ伝送がないと確定する。
【０１７５】
アップリンクデータバッファが空であると確定した場合、その後にアップリンクデータ伝送がないと確定する。
【０１７６】
または、アップリンクトラフィック完成またはアップリンクトラフィック終了を指示するためのトリガー指令を受信した場合、その後にアップリンクデータ伝送がないと確定する。
【０１７７】
前記プロセッサ１００１は、以下の方式で、その後にダウンリンクデータ伝送がないと確定する。
【０１７８】
基地局から送信された、最後１つのダウンリンクデータパケットであることを示す指示を受信した場合、その後にダウンリンクデータ伝送がないと確定する。
【０１７９】
または、第２タイマーが期限切れになった後、ダウンリンクデータ伝送を受信できていない場合、その後にダウンリンクデータ伝送がないと確定し、前記第２タイマーは、前記端末が基地局ダウンリンクデータ伝送を受信した後に、開始されたものである。
【０１８０】
トランスミッター１００３は、前記受信機１００２が基地局から送信された設定ポリシーを受信する前、基地局に、非アクティブ状態に入ることを許可することを要求する要求メッセージを送信する。
【０１８１】
可能の実施形態では、前記トランスミッター１００３は、前記プロセッサ１００１が前記設定ポリシーに基づき、前記端末を前記接続状態から非アクティブ状態に入るようにした後、基地局に接続再開要求を送信し、前記接続再開要求に前記端末の非アクティブ状態で用いられるエリア内の唯一の識別子が含まれる。
【０１８２】
前記プロセッサ１００１は、前記端末と前記基地局との間に接続を確立し、前記端末を前記非アクティブ状態から前記接続状態に切り換える。
【０１８３】
可能の実施形態では、前記トランスミッター１００３は、前記プロセッサ１００１が前記設定ポリシーに基づき、前記端末を前記接続状態から非アクティブ状態に入るようにした後、基地局にデータ伝送要求を送信し、前記データ伝送要求に前記端末の非アクティブ状態で用いられるエリア内の唯一の識別子が含まれる。
【０１８４】
前記プロセッサ１００１は、前記基地局から送信された端末の非アクティブ状態で格納された端末コンテキストに基づき、非アクティブ状態でのデータ伝送を行う。
【０１８５】
可能の実施形態では、前記受信機１００２は、以下の方式で、接続状態にある端末において、基地局から送信された設定ポリシーを受信する。
【０１８６】
基地局への接続確立プロセスでの接続確立命令により、前記設定ポリシーを受信し、または接続再設定命令により、前記設定ポリシーを受信し、または在切り替えプロセスでの切り替えシグナリングにより、前記設定ポリシーを受信する。
【０１８７】
同様な発明思想に基づき、本発明に係る実施例は、端末状態の切り替え装置をさらに提供し、当該装置の課題解決原理は上述の図６ないし図８に示す端末状態の切り替え方法に係る基地局により実行される機能方法と類似するため、当該装置の実施は方法の実施を参照することができ、繰り返して説明しない。
【０１８８】
図１２に示す実施例は端末状態の切り替え装置を提供し、前記切り替え装置は、処理ユニット２０１と、送信ユニット２０２とを備える。
【０１８９】
前記処理ユニット２０１は、基地局において、端末が自主的に非アクティブ状態に入るための設定ポリシーを設定する。
【０１９０】
前記送信ユニット２０２は、前記端末に前記設定ポリシーを送信する。
【０１９１】
可能の実施形態では、前記設定ポリシーに、前記端末が非アクティブ状態に入ることを許可することを示す指示情報が含まれる。
【０１９２】
可能の実施形態では、前記設定ポリシーには前記端末の非アクティブ状態で用いられるエリア内の唯一の識別子が含まれる。
【０１９３】
可能の実施形態では、前記設定ポリシーには前記端末が非アクティブ状態に入るのに用いられる第１タイマーが含まれる。
【０１９４】
可能の実施形態では、前記送信ユニット２０２は、以下の方式で、前記端末に前記設定ポリシーを送信する。
【０１９５】
接続確立プロセスでの接続確立シグナリングにより、前記設定ポリシーを送信する。または
【０１９６】
接続再設定命令により、前記設定ポリシーを送信する。
【０１９７】
または、端末切り替えプロセスでの切り替えシグナリングにより、前記設定ポリシーを送信する。
【０１９８】
可能の実施形態では、前記処理ユニット２０１は、前記送信ユニット２０２が前記端末に前記設定ポリシーを送信した後、設定ポリシーに基づいて前記端末が接続状態から非アクティブ状態に入ったと確定し、前記端末が非アクティブ状態に入る前の端末コンテキストを格納し、前記端末が接続状態でデータを伝送するのに用いられる無線インターフェースの唯一の識別子を解放する。
【０１９９】
可能の実施形態では、前記処理ユニット２０１は、以下の方式で、前記端末が接続状態から非アクティブ状態に入ったと確定する。
【０２００】
前記端末がその後にアップリンクデータ送信及びダウンリンクデータ伝送がないことを確定した場合、前記端末が非アクティブ状態に入るのに用いられる第１タイマーを開始する。後続の各タイミング単位において、後続のＵＬ/ＤＬデータ伝送の有無を判断し、後続のＵＬ/ＤＬデータ伝送がなければ、各タイミング単位において、前記第１タイマーが期限切れになるまでに、前記第１タイマーに１を加え、前記タイミング単位は、伝送時間間隔（ＴＴＩ）、サブフレームまたは所定の絶対時間である。前記端末がその後にアップリンクデータ伝送及びまたはダウンリンクデータ伝送をすれば、前記第１タイマーを停止する。前記第１タイマーが期限切れになったと確定すると、前記端末が前記接続状態から非アクティブ状態に入ると確定する。
【０２０１】
可能の実施形態では、前記処理ユニット２０１は、以下の方式で、前記端末がその後にアップリンクデータ送信をしないことを確定する。
【０２０２】
前記端末により報告された前記端末のアップリンクバッファが空であることを示す指示情報を受信すると、前記端末がその後にアップリンクデータ送信をしないことを確定する。または端末により報告されたバッファに基づき、最後１つのアップリンクデータパケットを受信したと確定した後、第２タイマーを開始させ、前記第２タイマーが期限切れになった後にアップリンク伝送のデータを受信できていないと、前記端末がその後にアップリンクデータ送信をしないことを確定する。または前記端末により報告されたアップリンクトラフィック完成またはアップリンクトラフィック終了を指示するためのトリガー指令を受信すると、前記端末がその後にアップリンクデータ送信をしないことを確定する。
【０２０３】
前記処理ユニット２０１は、以下の方式で、前記端末にその後のダウンリンクデータの伝送がないと確定する。
【０２０４】
前記端末に対するダウンリンクデータバッファが空であると確定すると、前記端末にその後のダウンリンクデータの伝送がないと確定する。または前記端末は、ダウンリンクトラフィック完成またはダウンリンクトラフィック終了を指示するトリガー指令を受信した場合、前記端末にその後のダウンリンクデータの伝送がないと確定する。
【０２０５】
可能の実施形態では、前記処理ユニット２０１は、以下の方式で、前記端末が接続状態から非アクティブ状態に入ったと確定する。
【０２０６】
ターゲット基地局から前記端末コンテキスト取得要求を受信した場合、前記端末が接続状態から非アクティブ状態に入ったと確定する。ここで、前記ターゲット基地局は、前記端末から、前記端末の非アクティブ状態で用いられるエリア内の唯一の識別子が含まれる接続再開要求またはデータ伝送要求を受信した基地局である。
【０２０７】
可能の実施形態では、前記送信ユニット２０２は、前記処理ユニット２０１が、ターゲット基地局から送信された前記端末コンテキスト取得要求を受信した後、前記ターゲット基地局に前記端末コンテキストを転送する。
【０２０８】
可能の実施形態では、前記処理ユニット２０１は、以下の方式で、前記端末が接続状態から非アクティブ状態に入ったと確定する。
【０２０９】
前記端末から、前記端末の非アクティブ状態で用いられるエリア内の唯一の識別子が含まれる接続再開要求またはデータ伝送要求を受信した場合、前記端末が接続状態から非アクティブ状態に入ったと確定する。
【０２１０】
前記端末状態の切り替え装置は、受信ユニット２０３をされに備え、図１３に示すように、前記受信ユニット２０３は、前記処理ユニット２０１が、端末が自主的に非アクティブ状態に入るための設定ポリシーを設定する前、前記端末から、非アクティブ状態に入ることを許可することを要求する要求メッセージを受信する。
【０２１１】
図１４に示す実施例では、端末状態の切り替え装置が基地局である例を挙げて、本発明の実施例に係る端末状態の切り替え装置のハードウェアアーキテクチャ、処理形態を説明する。前記端末状態の切り替え装置は、送受信機２００１と、前記送受信機２００１と接続する少なくとも１つのプロセッサ２００２とを備える。
【０２１２】
前記プロセッサ２００２は、メモリ２００３に格納されたプログラムを読み出し、基地局において、端末が自主的に非アクティブ状態に入るための設定ポリシーを設定し、前記送受信機２００１により、前記端末に前記設定ポリシーを送信する。
【０２１３】
前記送受信機２００１は、前記プロセッサ２００２の制御によりデータを送受信する。
【０２１４】
図１４において、バスアーキテクチャは、いずれ数の相互接続するバス及びブリッジを備える。具体的に、プロセッサ２００２が代表となる１つまたは複数のプロセッサ及びメモリ２００３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機２００１は、複数の部品であることができ、即ち、送信機及び受信機を備え、伝送メディアを介して他の装置と通信するユニットを提供する。
【０２１５】
前記プロセッサ２００２は、バスアーキテクチャ及び通常の処理を管理し、前記メモリ２００３は、前記プロセッサ２００２が動作する際に利用するプログラムコードを格納することができる。
【０２１６】
可能の実施形態では、前記設定ポリシーに、前記端末が非アクティブ状態に入ることを許可することを示す指示情報が含まれる。
【０２１７】
可能の実施形態では、前記設定ポリシーには前記端末の非アクティブ状態で用いられるエリア内の唯一の識別子が含まれる。
【０２１８】
可能の実施形態では、前記設定ポリシーに前記端末が自主的に非アクティブ状態に入ることを示す第１タイマーが含まれる。
【０２１９】
可能の実施形態では、前記プロセッサ２００２は、以下の方式で、前記送受信機２００１により、前記端末に前記設定ポリシーを送信する。
【０２２０】
接続確立プロセスでの接続確立シグナリングにより、前記設定ポリシーを送信する。または接続再設定命令により、前記設定ポリシーを送信する。または端末切り替えプロセスでの切り替えシグナリングにより、前記設定ポリシーを送信する。
【０２２１】
可能の実施形態では、前記プロセッサ２００２は、送信した後、設定ポリシーに基づいて前記端末が接続状態から非アクティブ状態に入ったと確定し、前記端末が非アクティブ状態に入る前の端末コンテキストを格納し、前記端末が接続状態でデータを伝送するのに用いられる無線インターフェースの唯一の識別子を解放する。
【０２２２】
可能の実施形態では、前記プロセッサ２００２，以下の方式で、前記端末が接続状態から非アクティブ状態に入ったと確定する。
【０２２３】
前記端末がその後にアップリンクデータ送信及びダウンリンクデータ伝送がないことを確定した場合、前記端末が非アクティブ状態に入るのに用いられる第１タイマーを開始する。後続の各タイミング単位において、後続のＵＬ/ＤＬデータ伝送の有無を判断し、後続のＵＬ/ＤＬデータ伝送がなければ、各タイミング単位において、前記第１タイマーが期限切れになるまでに、前記第１タイマーに１を加え、前記タイミング単位は、伝送時間間隔（ＴＴＩ）、サブフレームまたは所定の絶対時間である。前記端末がその後にアップリンクデータ伝送及びまたはダウンリンクデータ伝送をすれば、前記第１タイマーを停止する。前記第１タイマーが期限切れになったと確定すると、前記端末が前記接続状態から非アクティブ状態に入ると確定する。
【０２２４】
可能の実施形態では、前記プロセッサ２００２，以下の方式で、前記端末がその後にアップリンクデータ送信をしないことを確定する
【０２２５】
前記端末により報告された前記端末のアップリンクバッファが空であることを示す指示情報を受信すると、前記端末がその後にアップリンクデータ送信をしないことを確定する。または端末により報告されたバッファに基づき、最後１つのアップリンクデータパケットを受信したと確定した後、第２タイマーを開始させ、前記第２タイマーが期限切れになった後にアップリンク伝送のデータを受信できていないと、前記端末がその後にアップリンクデータ送信をしないことを確定する。または前記端末により報告されたアップリンクトラフィック完成またはアップリンクトラフィック終了を指示するためのトリガー指令を受信すると、前記端末がその後にアップリンクデータ送信をしないことを確定する。
【０２２６】
前記プロセッサ２００２，以下の方式で、前記端末にその後のダウンリンクデータの伝送がないと確定する
【０２２７】
前記端末に対するダウンリンクデータバッファが空であると確定すると、前記端末にその後のダウンリンクデータの伝送がないと確定する。または前記端末は、ダウンリンクトラフィック完成またはダウンリンクトラフィック終了を指示するトリガー指令を受信した場合、前記端末にその後のダウンリンクデータの伝送がないと確定する。
【０２２８】
可能の実施形態では、前記プロセッサ２００２は、以下の方式で、前記端末が接続状態から非アクティブ状態に入ったと確定する。
【０２２９】
ターゲット基地局から前記端末コンテキスト取得要求を受信した場合、前記端末が接続状態から非アクティブ状態に入ったと確定する。ここで、前記ターゲット基地局は、前記端末から、前記端末の非アクティブ状態で用いられるエリア内の唯一の識別子が含まれる接続再開要求またはデータ伝送要求を受信した基地局である。
【０２３０】
可能の実施形態では、前記プロセッサ２００２は、前記プロセッサ２００２がターゲット基地局から送信された前記端末コンテキスト取得要求を受信した後、前記送受信機２００１により、前記ターゲット基地局に前記端末コンテキストを転送する。
【０２３１】
可能の実施形態では、前記プロセッサ２００２は、以下の方式で、前記端末が接続状態から非アクティブ状態に入ったと確定する。
【０２３２】
前記端末から、前記端末の非アクティブ状態で用いられるエリア内の唯一の識別子が含まれる接続再開要求またはデータ伝送要求を受信した場合、前記端末が接続状態から非アクティブ状態に入ったと確定する。
【０２３３】
前記プロセッサ２００２は、端末が非アクティブ状態に入るための設定ポリシーを設定する前、前記送受信機２００１により前記端末から、非アクティブ状態に入ることを許可することを要求する要求メッセージを受信する。
【０２３４】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたは複数のコンピュータプログラム製品の形式を採用できる。当該製品はコンピュータ使用可能なプログラムコードを含むコンピュータ使用可能な格納メディア（ディスク格納装置、ＣＤ-ＲＯＭ、光学格納装置等を含むがそれとは限らない）において実施する。
【０２３５】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。
【０２３６】
これらのコンピュータプログラム指令は又、コンピュータまたは他のプログラム可能なデータ処理装置を特定方式で動作させるコンピュータ読取格納装置に格納できる。これによって、指令を含む装置は当該コンピュータ読取格納装置内の指令を実行でき、フロー図における一つまたは複数のフローおよび／またはブロック図における一つまたは複数のブロックに指定する機能を実現する。
【０２３７】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。
【０２３８】
上述した実施形態に記述された技術的な解決手段を改造し、またはその中の一部の技術要素を置換することもできる。そのような、改造と置換は本発明の各実施形態の技術の範囲から逸脱するとは見なされない。
【０２３９】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【０２４０】
本出願は、２０１６年０７月２８日に中国特許局に提出し、出願番号が２０１６１０６１５８５４.Ｘであり、発明名称が「端末状態の切り替え方法及び装置」との中国特許出願を基礎とする優先権を主張し、その開示の総てをここに取り込む。
【符号の説明】
【０２４１】
１０１  受信ユニット
１０２  処理ユニット
１０３  送信ユニット
２０１  処理ユニット
２０２  送信ユニット
２０３  受信ユニット
１００１  プロセッサ
１００２  受信機
１００３  トランスミッター
１００４  メモリ
２００１  送受信機
２００２  プロセッサ
２００３  メモリ
【図１】
2020115694.tif 000003
【図２】
2020115694.tif 000004
【図３】
2020115694.tif 000005
【図４】
2020115694.tif 000006
【図５】
2020115694.tif 000007
【図６】
2020115694.tif 000008
【図７】
2020115694.tif 000009
【図８】
2020115694.tif 000010
【図９】
2020115694.tif 000011
【図１０】
2020115694.tif 000012
【図１１】
2020115694.tif 000013
【図１２】
2020115694.tif 000014
【図１３】
2020115694.tif 000015
【図１４】
2020115694.tif 000016